(57)【要約】【課題】正確且つ安定した移動、定位を行うレンズ駆動装置を提供する。【解決手段】固定台１１及び被駆動台１３から構成されたレンズ駆動装置において、そのうち、納置空間１１１を具え、そこに被駆動台１３を納置し、その納置空間１１１内にコイルユニット１２を設置し、そのコイルユニット１２は一組以上のコイル１２１と磁気導入塊１２２を組み合わせて構成される固定台１１と、コイルユニット１２の位置と相対する磁性部品１３１を設置し、固定台１１の納置空間１１１に沿って予定された軌跡を位置移動する被駆動台１３を含み、これによって固定台１１のコイル１２１に通電した時、磁性部品１３１はコイル磁場の影響を受けて駆動台を固定台の特定位置まで移動させることを特徴とするレンズ駆動装置。【選択図】図１
0003128093.tif 000002
【実用新案登録請求の範囲】
【請求項１】
固定台及び被駆動台から構成されたレンズ駆動装置において、そのうち、
納置空間を具え、そこに被駆動台を納置し、その納置空間内にコイルユニットを設置し、そのコイルユニットは一組以上のコイルと磁気導入塊を組み合わせて構成される固定台と、
コイルユニットの位置と相対する磁性部品を設置し、固定台の納置空間に沿って予定された軌跡を位置移動する被駆動台を含み、
これによって固定台のコイルに通電した時、磁性部品はコイル磁場の影響を受けて駆動台を固定台の特定位置まで移動させることを特徴とするレンズ駆動装置。
【請求項２】
前記被駆動台は、二個の磁性部品を設置し、その磁性部品は被駆動台の左右両側にそれぞれ設置することを特徴とする請求項１記載のレンズ駆動装置。
【請求項３】
前記被駆動台は、二個の磁性部品を設置し、その二個の磁性部品は被駆動台の上下両側に各々設置することを特徴とする請求項１記載のレンズ駆動装置。
【請求項４】
前記被駆動台の磁性部品は、被駆動台の上側もしくは下側に設置することを特徴とする請求項１記載のレンズ駆動装置。
【請求項５】
前記磁気導入塊は、平板状で、またコイルは螺旋の巻き付け方式で、磁気導入塊をコイル内に置くことを特徴とする請求項１記載のレンズ駆動装置。
【請求項６】
前記磁気導入塊は、平板状で、巻き付け軸が突出しており、コイルは螺旋に巻きつけて巻き付け軸上に設置することを特徴とする請求項１記載のレンズ駆動装置。
【請求項７】
前記磁気導入塊は、欠切部を具えることを特徴とする請求項６記載のレンズ駆動装置。
【請求項８】
前記磁性部品は、ひとつの磁極がコイルユニットと同じで、別の磁極がコイルユニットと異なる方式で設置することを特徴とする請求項１記載のレンズ駆動装置。
【請求項９】
前記コイルユニットは、コイルに通電して磁場が発生し、被駆動台を必要な位置に調整すると、コイルへの通電を切断し、磁気導入塊と磁性部品が相互に吸着して被駆動台が定位し続けることを特徴とする請求項１記載のレンズ駆動装置。
【請求項１０】
前記駆動ユニットは、光フィルタ片の駆動に用いることを特徴とする請求項１記載のレンズ駆動装置。
【考案の詳細な説明】
【技術分野】
【０００１】
本考案は、レンズ駆動装置に関するもので、正確且つ安定した移動、定位を行う駆動装置である。
【背景技術】
【０００２】
撮影装置は、テープ、フィルムもしくは感光部品で周囲の環境事象を長く保存するための設備である。そのうち、撮影装置のレンズユニットは、光線進入を制御することが鍵である。このレンズユニット内には基本のレンズの他に、各種駆動装置が必要で異なる環境光線の変化に対応する。また駆動装置は、以前は機械式であったが、現在では電子式の設計に移行しつつあり、この駆動装置は安定、正確、操作が便利という利点を具える。
【０００３】
下記の駆動装置の作動原理は、固定台内に二組の磁極方向が相反する磁性部品を設置し、その磁性部品は左にひとつ、右にひとつを固定台内の両端に設置する。また被駆動台上に相互に対応するコイルを巻きつけて設置し、被駆動台のコイルに電流が通ると、磁場を生じ、固定台の磁性部品と作用力を発生する。被駆動台を制御して調整したい位置に移動すると、コイルを通過した電流が方向を変えて被駆動台の移動位置を変え、駆動装置となる。
【特許文献１】特許公開２００５−２４２０９４号
【０００４】
しかしながら、公知のこの種の固定台の磁性部品と被駆動台のコイルを利用して駆動させる構造は、下述の問題がある。
【考案の開示】
【考案が解決しようとする課題】
【０００５】
解決しようとする問題点は、下述の点である。
被駆動台上でコイルを巻きつける位置空間には制限があり、そのためコイルに比較的大きい電流を通したい場合、適する磁場が発生することにより、電源が浪費され、撮影装置の待機もしくは操作時間が減少する。
コイルの材料は大抵非鉄磁性材に依る銅金属が主である。そのため、コイルに電気が切断されると、磁性部品の磁場の影響を受けられず、被駆動台が固定台内で左右に滑動し、製品の品質及び使用寿命に影響を与える。
【課題を解決するための手段】
【０００６】
本考案は、主に固定台、コイルユニット、被駆動台及び蓋体を含む。固定台は納置空間を具え、その納置空間内にはコイルユニット及び被駆動台を納置し、蓋体でコイルユニットと被駆動台を納置空間内に定位させる。このコイルユニットは、一組もしくは一組以上のコイル及び磁気導入塊を含み、磁気導入塊はコイル内に設置し、コイルが通電すると、第一端と第二端は異なる磁極を発生する。被駆動台は納置空間内で左右に位置移動する。更に被駆動台上には磁性部品を設置し、その磁性部品はコイルユニットのコイルに相対して位置する。コイルユニットのコイルへの電流方向によりコイルの第一端と第二端の磁極を制御し、第一、第二端の磁極と被駆動台の磁性部品が吸着したり、反発したりすることにより、被駆動台を必要な位置へ移動させる。更にコイルの電気が切断すると、被駆動台は磁性部品と磁気導入塊が相互に吸着し、被駆動台を定位することを最も主要な特徴とする。
【０００７】
すなわち、本考案のレンズ駆動装置は、請求項１に記載するように、
固定台及び被駆動台から構成されたレンズ駆動装置において、そのうち、
納置空間を具え、そこに被駆動台を納置し、その納置空間内にコイルユニットを設置し、そのコイルユニットは一組以上のコイルと磁気導入塊を組み合わせて構成される固定台と、
コイルユニットの位置と相対する磁性部品を設置し、固定台の納置空間に沿って予定された軌跡を位置移動する被駆動台を含み、
これによって固定台のコイルに通電した時、磁性部品はコイル磁場の影響を受けて駆動台を固定台の特定位置まで移動させることを特徴とする。
【０００８】
前記被駆動台は、二個の磁性部品を設置し、その磁性部品は被駆動台の左右両側にそれぞれ設置することを特徴とする。
【０００９】
前記被駆動台は、二個の磁性部品を設置し、その二個の磁性部品は被駆動台の上下両側に各々設置することを特徴とする。
【００１０】
前記被駆動台の磁性部品は、被駆動台の上側もしくは下側に設置することを特徴とする。
【００１１】
前記磁気導入塊は、平板状で、またコイルは螺旋の巻き付け方式で、磁気導入塊をコイル内に置くことを特徴とする。
【００１２】
前記磁気導入塊は、平板状で、巻き付け軸が突出しており、コイルは螺旋に巻きつけて巻き付け軸上に設置することを特徴とする。
【００１３】
前記磁気導入塊は、欠切部を具えることを特徴とする。
【００１４】
前記磁性部品は、ひとつの磁極がコイルユニットと同じで、別の磁極がコイルユニットと異なる方式で設置することを特徴とする。
【００１５】
前記コイルユニットは、コイルに通電して磁場が発生し、被駆動台を必要な位置に調整すると、コイルへの通電を切断し、磁気導入塊と磁性部品が相互に吸着して被駆動台が定位し続けることを特徴とする。
【００１６】
前記駆動ユニットは、光フィルタ片の駆動に用いることを特徴とする。
【考案の効果】
【００１７】
本考案のレンズ駆動装置は、正確且つ安定した移動、定位を行うという利点がある。
【考案を実施するための最良の形態】
【００１８】
本考案の主な目的は、レンズ駆動装置を提供し、公知駆動装置の巻き数の制限、コイル断電で被駆動台を定位できなくなる等の欠点を改善する。
【００１９】
前述の目的のため、本考案は、固定台、コイルユニット、被駆動台及び蓋体を含む。固定台は納置空間を具え、その納置空間内にはコイルユニット及び被駆動台を納置し、蓋体でコイルユニットと被駆動台を納置空間内に定位させる。このコイルユニットは、一組もしくは一組以上のコイル及び磁気導入塊を含み、磁気導入塊はコイル内に設置し、コイルが通電すると、第一端と第二端は異なる磁極を発生する。被駆動台は納置空間内で左右に位置移動する。更に被駆動台上には磁性部品を設置し、その磁性部品はコイルユニットのコイルに相対して位置する。コイルユニットのコイルへの電流方向によりコイルの第一端と第二端の磁極を制御し、第一、第二端の磁極と被駆動台の磁性部品が吸着したり、反発したりすることにより、被駆動台を必要な位置へ移動させる。更にコイルの電気が切断すると、被駆動台は磁性部品と磁気導入塊が相互に吸着し、被駆動台を定位する。
【００２０】
上述からわかるとおり、本考案は、コイルユニットを固定台に設置し、磁気導入塊を含み、コイルユニットの巻き数及び磁場を強化し、磁気導入塊と磁性部品が相互に吸着する原理を利用して被駆動台をコイルへの電気が切断した時、定位効果を具え、コイルが通電する時間を減らし、エネルギーを節約し、機器全体の待機、操作時間を延ばす。
【実施例１】
【００２１】
図１から図３に示す通り、本考案のレンズ駆動装置は主に駆動ユニット１とし、その駆動ユニット１は、固定台１１、コイルユニット１２、被駆動台１３及び蓋体１４を含む。説明のため、本実施例の駆動ユニット１の図は、光フィルタ片の駆動装置で構造説明を行うが、駆動ユニット１が光フィルタ片に制限されるわけではない。
【００２２】
この固定台１１は、長方形の箱体でその内部に納置空間を形成する。その納置空間１１１には封鎖端１１１１及び開口端１１１２を具え、納置空間１１１にコイルユニット１２及び被駆動台１３を納置する。蓋体１４はコイルユニット１２、被駆動台１３を納置空間１１１内に定位させる。固定台１１の納置空間１１１の封鎖端１１１１を前とし、開口端１１１２を後とし、納置空間１１１の長い両側辺を各々左、右方向とする。
【００２３】
コイルユニットは一組もしくは一組以上のコイル１２１と磁気導入塊１２２から構成され、この磁気導入塊は平板上で、コイル１２１の巻き取り方式は螺旋巻取り方式である。このコイル１２１に電流が通過した時、その第一端１２１１と第二端１２１２は異なる磁極を具え、コイルユニット１２はコイル１２１のレンズ駆動装置いったん１２１１と第二端１２１２が左、右側の方式で納置空間１１１内に定位される。
【００２４】
被駆動台１３は、固定台１１の納置空間１１１内に納置され、納置空間１１１内で左右に移動する。この被駆動台１３の左、右両側にはそれぞれ磁性部品１３１が設置され、この二つの磁性部品１３１の位置は、コイルユニット１２のコイル１２１第一端１２１１もしくは第二端１２１２に対応し、且つ磁性部品１３１は磁極でコイルユニット１２に向かい、別の磁極はコイルユニット１２の裏側に対して設置する。
【００２５】
本考案の組立完成後、図３から図１０に示すとおり、コイルユニット１２の二組のコイル１２１、磁気導入塊１２２は、各々固定台１１の納置空間１１１内の左右に設置する。被駆動台１３の磁気部品１３１はコイルユニット１２の第一端１２１１もしくは第二端１２１２に対応し、固定台１１の納置空間１１１開口端１１１２は蓋体１４によって封鎖され、各部品が納置空間１１１内で位置限定され、コイルユニット１２のコイル１２１が通電すると、被駆動台１３の磁性部品１３１はコイル１２１の磁場の影響を受け、被駆動台１３を、図５及び図１０に示すように納置空間１１１に沿って左右へ位置移動して位置を調整する。
【００２６】
図６〜図９は、本考案の被駆動台１３が図５の左側に位置する状態から図１０の右側に位置する状態へ移動する作動過程で、図１１〜図１４は、本考案の被駆動台が図１０の右側に位置する状態から図５の左側に位置する状態へ移動する作動過程である。上述の図は説明に便利なように、その線は簡略化し、説明の重点部分のコイルユニット１２、被駆動台１３、磁性部品１３１だけを表示する。その部品の間距離は表示しやすいように拡大している。
【００２７】
図６のコイルユニット１２のコイル１２１は電流が通っていないので磁場は発生しない。この時、被駆動台１３は磁性部品１３１の磁場で磁気導入塊を吸引し、被駆動台１３を左側で定位する。
【００２８】
図７のコイルユニット１２のコイル１２１は電流が通って磁場が発生する。この時、コイル１２１の第一端１２１１はＮ極で第二端１２１２はＳ極であり、コイル１２１第一端１２１１の磁場Ｎ極と磁性部品１３１の磁場Ｎ極が相互に近づき、跳ね返す力が発生し、被駆動台１３が矢印方向に沿って右へ移動する。
【００２９】
図８のコイルユニット１２のコイル１２１は、図５ｂの同じ方向に電流が流れ続け、被駆動台１３徐々に右へ移動する。被駆動台１３の磁性部品１３１のＮ極がコイル１２１のＳ極へ近づく。そのため吸引力が発生し、被駆動台１３が納置空間１１１の右端まで右へ移動する。
【００３０】
図９のコイルユニット１２のコイル１２１はすでに通電が切れ、被駆動台１３の磁性部品１３１はコイルユニット１２の磁気導入塊と吸引してその箇所で定位する。
【００３１】
図１１は、図９の状態と同じである。
図１２は、コイルユニット１２のコイル１２１を図７の電流と反対に通し、コイル１２１第一端１２１１をＳ極とし、第二端をＮ極とする。コイル１２１第二端１２１２の磁場であるＮ極と磁性部品１３１の磁場Ｎ極が相互に近づいて反発力が発生する。そして被駆動台１３が矢印の方向である左に移動する。
【００３２】
図１３のコイルユニット１２のコイル１２１は、図１２の同じ方向への電流通過を続け、被駆動台は徐々に左へ移動し、被駆動台１３の磁性部品１３１のＮ極はコイルのＳ極に近づき、吸着力が発生して被駆動台１３は左へ移動し、納置空間１１１内の左端へ移動する。
【００３３】
図１４のコイルユニット１２のコイル１２１はすでに電気が途切れ、被駆動台１３の磁性部品１３１はコイルユニット１２の磁気導入塊に吸着してそこで定位する。
【００３４】
上述の図６から図９と、図１１から図１４までの連続動作でわかるとおり、本考案はコイル１２１に電流が通じ、磁場が発生し、被駆動台１３を固定台１１の納置空間１１１内の左側(図１５参照)、もしくは右側（図１６参照）まで移動させて駆動を調整する効果を具える。このコイルユニット１２のコイル１２１に電流が通ってなく、磁場が消失した時、磁気導入塊が被駆動台１３の磁性部品１３１に吸着されて定位し、被駆動台１３が納置空間１１１内で勝手に滑動するのを防止する。
【実施例２】
【００３５】
図１７及び図１８に示すのは、本考案のレンズ駆動装置第二実施例で、そのうち、主な部品は第一実施例と同じであるため、ここでは詳述せず、下述に異なる構造点に付いて説明する。
【００３６】
被駆動台１３の磁性部品１３１は、図１７に示すとおり、被駆動台１３の上側もしくは下側に設置する。本実施例では二個の磁性部品１３１で上、下両側に設置した構造で説明する。この磁性部品１３１の左、右両端は同じ磁極であるため、被駆動台１３はコイルユニット１２の駆動効果を受ける。
【実施例３】
【００３７】
図１９から図２１は、本考案レンズ駆動装置の第三実施例で、そのうち主な部品は第一実施例と同じであるため、ここでは詳述せず、下述に異なる構造点に付いて説明する。
【００３８】
被駆動台１３の磁性部品１３１は、図１９に示すとおり、被駆動台１３の上側もしくは下側に設置し、コイルユニット１２のコイル１２１の上、下側に対応する。この磁性部品１３１の左、右両端は同じ磁極であるため、被駆動台１３はコイルユニット１２の駆動効果を受ける。
【実施例４】
【００３９】
図２２及び図２３は、本考案レンズ駆動装置の第四実施例で、そのうち主な部品は第一実施例と同じであるため、ここでは詳述せず、下述に異なる構造点に付いて説明する。
【００４０】
このコイルユニット１２の磁気導入塊は凸字形平板上でもよく、中央部分は決まった方向に向かって巻き付け軸１２２１を凸設し、コイル１２１を螺旋状に巻き付け、巻き付け軸１２２１上に置く。この磁気導入塊の両角の欠切部１２２２はコイル１２１が通電した時の磁場と被駆動台１３の磁性部品１３１が相互に作用しやすくなっており、被駆動台１３はコイルユニット１２の駆動を受ける。
【００４１】
本考案の駆動ユニット１は、主に磁気導入塊を具えたコイルユニット１２を固定台１１内に固定し、被駆動台１３上に磁性部品１３１を設置する方式でコイルユニット１２の空間が増え、巻き付け数が増加し、磁気導入塊はコイル１２１に通電していない時、被駆動台１３の磁性部品１３１を定位する効果を具える。そのうち、コイルユニット１２及び磁性部品１３１の設置方式は、上述した四種の実施例に制限されるわけではなく、その他も同じく固定台１１内に磁気導入塊を具えたコイルユニット１２、被駆動台１３に磁性部品１３１を設置したコイルユニット１２、磁性部品１３１の排列方式もまた本考案の保護範囲に属する。
【００４２】
上述は、本考案の実施例にすぎず、本考案に対して如何なる形式の制限も与えない。よって同じ精神に基づく如何なる修飾もしくは変更は、すべて本考案の保護範囲に含まれる。そのうち、この駆動ユニット１は、カメラ、ビデオ撮影機、監視カメラ等各種レンズを具えた機材の駆動に用いる。
【図面の簡単な説明】
【００４３】
【図１】本考案の立体分解図である。
【図２】本考案の組立立体指示図である。
【図３】本考案の外観立体指示図である。
【図４】図３のＡＡ線の断面指示図である。
【図５】図３のＢＢ線断面指示図である。
【図６】図５の被駆動台が右端へ移動する連続動作簡易指示図である。
【図７】図５の被駆動台が右端へ移動する連続動作簡易指示図である。
【図８】図５の被駆動台が右端へ移動する連続動作簡易指示図である。
【図９】図５の被駆動台が右端へ移動する連続動作簡易指示図である。
【図１０】図５の被駆動台が右端へ移動した断面指示図である。
【図１１】図６の被駆動台が左端へ移動する連続動作簡易指示図である。
【図１２】図６の被駆動台が左端へ移動する連続動作簡易指示図である。
【図１３】図６の被駆動台が左端へ移動する連続動作簡易指示図である。
【図１４】図６の被駆動台が左端へ移動する連続動作簡易指示図である。
【図１５】本考案の被駆動台が左端で定位する指示図である。
【図１６】本考案の被駆動台が右端で定位する指示図である。
【図１７】本考案の第二実施例の磁性部品と被駆動台の組立指示図である。
【図１８】本考案の第二実施例の組立立体指示図である。
【図１９】本考案の第三実施例の磁性部品と被駆動台の組立指示図である。
【図２０】本考案の第三実施例の被駆動台立体指示図である。
【図２１】本考案の第三実施例の組立立体指示図である。
【図２２】本考案の第四実施例の立体分解図である。
【図２３】本考案の第四実施例の組立立体指示図である。
【符号の説明】
【００４４】
１        駆動ユニット
１１        固定台
１１１        納置空間
１１１１        封鎖端
１１１２        開口端
１２        コイルユニット
１２１        コイル
１２１１        第一端
１２１２        第二端
１２２        磁気導入塊
１２２１        巻き付け軸
１２２２        欠切部
１３        被駆動台
１３１        磁性部品
１４        蓋体
【図１】
0003128093.tif 000003
【図２】
0003128093.tif 000004
【図３】
0003128093.tif 000005
【図４】
0003128093.tif 000006
【図５】
0003128093.tif 000007
【図６】
0003128093.tif 000008
【図７】
0003128093.tif 000009
【図８】
0003128093.tif 000010
【図９】
0003128093.tif 000011
【図１０】
0003128093.tif 000012
【図１１】
0003128093.tif 000013
【図１２】
0003128093.tif 000014
【図１３】
0003128093.tif 000015
【図１４】
0003128093.tif 000016
【図１５】
0003128093.tif 000017
【図１６】
0003128093.tif 000018
【図１７】
0003128093.tif 000019
【図１８】
0003128093.tif 000020
【図１９】
0003128093.tif 000021
【図２０】
0003128093.tif 000022
【図２１】
0003128093.tif 000023
【図２２】
0003128093.tif 000024
【図２３】
0003128093.tif 000025
【手続補正書】
【提出日】平成18年10月23日(2006.10.23)
【手続補正１】
【補正対象書類名】実用新案登録請求の範囲
【補正対象項目名】請求項１０
【補正方法】変更
【補正の内容】
【請求項１０】
前記レンズ駆動装置は、光フィルタ片の駆動に用いることを特徴とする請求項１記載のレンズ駆動装置。